(57)【特許請求の範囲】
【請求項１】
機械本体構造体に回動可能に取り付けられ、内部に複数枚の電装基板が収容される収納ケースにおいて、
前記複数枚の電装基板が収納ケースの奥行き方向に重畳される形で収容されており、その際、最も手前にある電装基板が板状部材を介して前記収納ケース側板に対して回動可能に取り付けられており、
該板状部材の一側縁には収納ケース側板には係止爪が、前記収納ケースの該係止爪に対応する箇所に係止穴がそれぞれ設けられており、
前記係止爪は板状部材の側縁から水平に延びる水平部と、該水平部の先端で下方に曲げられた曲げ部を有するフック状に形成され、
前記係止穴は係止爪の曲げ部の上下幅よりも長い挿入部と、その挿入部と連続し係止爪の曲げ部の上下幅よりも短く、水平部よりも長い保持部が形成され、
前記係止爪が前記係止穴に掛けられることで、そこを支点として前記板状部材が前記収納ケース側板に対し回動可能であることを特徴とする収納ケース。
【請求項２】
請求項１に記載の収納ケースにおいて、前記係止爪の曲げ部を前記係止穴の挿入部から挿入した板状部材を回動すると、前記係止爪に水平部が前記係止穴の保持部が移動した位置を支点とすることを特徴とする収納ケース。
【請求項３】
請求項１または２に記載の収納ケースにおいて、前記複数枚の電装基板の中、最も手前の前記電装基板は、収容された状態でその奥側の電装基板の接続部が外部から見えるように、ずらして配置されていることを特徴とする収納ケース。
【請求項４】
請求項１ないし３の何れかに記載の収納ケースを用いることを特徴とする画像形成装置。
【発明の詳細な説明】
【技術分野】
【０００１】
本発明は、制御用電装基板を収容する収納ケース及び該収納ケースを用いる例えばプリンタ、複写機、ファクシミリもしくはこれらの少なくとも２つの機能を有する複合機などの画像形成装置に関するものである。
【背景技術】
【０００２】
上記形式の画像形成装置においては、制御用電装基板が装置本体の側面か裏面に取り付けられることが多い。近年では制御用電装基板を側面に取り付けると、装置の幅が大きくなるため、裏面に取り付ける傾向にある。
【０００３】
そこで、制御用電装基板を裏面に取り付けた場合、裏面にはレイアウト上、モータやクラッチなどのメカ部品があるため、制御用電装基板はそれらメカ部品の後ろ側に付けることになる。かかる構成では、メンテナンスなどのとき、メカ部品にアクセスできるように、制御用電装基板を移動できるように取り付けなければならない。
【０００４】
【特許文献１】特開２００２−３３７４２１号公報
【特許文献２】特開２００４−２４９６３３号公報
【０００５】
そこで、特許文献１や２に記載の画像形成装置では、制御用電装基板をまとめて１つの収納ケースである収納ケース内に収納し、該収納ケースを装置本体に回動可能に装着している。そして、メカ部品のメンテナンス時はその収納ケースを回動してメカ部品が現出するようにしている。
【０００６】
ところで、近年の、特にカラーの画像形成装置ではモータ、センサなどが大量に使用されているため、電装基板も複数枚になることがある。さらに、オプションを付設すると、それに応じて電装基板を追加しなければならないケースもある。このようなとき、スペースの関係上基板を奥行き方向に重畳させて配置すると、特に奥側に配置した基板のコネクタの接続や配線などの作業性が悪くなる。さらに、基板上に配置された電子部品より発生する熱による温度上昇や基板より発生する電波ノイズの問題もあった。
【０００７】
また、複写機・プリンタなどの画像形成装置において、現像ユニットや転写ユニットなど高電圧を発生することで機能を満足するユニットが多く存在する。通常これらのユニットに対しては電源基板から電力を受けた高圧電源基板で高電圧を発生させ、高圧用ハーネスを通じて各ユニットに高圧電流が供給される。この高圧用ハーネスは他の制御信号線と交差すると誤動作を生じるノイズをのせてしまうなどの悪影響を与える可能性があるため、なるべく他のハーネスと交わらないようなルートで這い回される。高電圧ユニットが多ければ多いほどこの高圧用ハーネスも増えてしまうため限られたスペースで他のハーネスと交わらないハーネスルートを確保することが難しくなる。カラー複写機やカラープリンタなどのカラー画像形成装置ではモノクロの装置より高電圧ユニットが多くなり、そのレイアウト自体でスペースをとられるばかりでなくハーネスも増えることでハーネスの這い回しは、より困難を極めることとなる問題があった。
【発明の開示】
【発明が解決しようとする課題】
【０００８】
本発明は、上記した従来の不具合を解消し、収納ケースを複数の電装基板を収容しても作業性を損なわず、温度上昇や電波ノイズも防ぐことができる収納ケース及び該収納ケースを備え、高電圧用のハーネスの這い回しが容易な画像形成装置を提供することを目的とする。
【課題を解決するための手段】
【０００９】
上記目的を達成するために、本発明は、機械本体構造体に回動可能に取り付けられ、内部に複数枚の電装基板が収容される収納ケースにおいて、前記複数枚の電装基板が収納ケースの奥行き方向に重畳される形で収容されており、その際、最も手前にある電装基板が板状部材を介して前記収納ケース側板に対して回動可能に取り付けられており、該板状部材の一側縁には収納ケース側板には係止爪が、前記収納ケースの該係止爪に対応する箇所に係止穴がそれぞれ設けられており、前記係止爪は板状部材の側縁から水平に延びる水平部と、該水平部の先端で下方に曲げられた曲げ部を有するフック状に形成され、前記係止穴は係止爪の曲げ部の上下幅よりも長い挿入部と、その挿入部と連続し係止爪の曲げ部の上下幅よりも短く、水平部よりも長い保持部が形成され、前記係止爪が前記係止穴に掛けられることで、そこを支点として前記板状部材が前記収納ケース側板に対し回動可能であることを特徴とする収納ケースを提案する。
【００１０】
なお、本発明は、前記係止爪の曲げ部を前記係止穴の挿入部から挿入した板状部材を回動すると、前記係止爪に水平部が前記係止穴の保持部が移動した位置を支点とすると、効果的である。
【００１１】
さらに、本発明は、前記複数枚の電装基板の中、最も手前の前記電装基板は、収容された状態でその奥側の電装基板の接続部が外部から見えるように、ずらして配置されていると、効果的である。
【００１２】
また、上記目的を達成するために、本発明は、請求項１ないし３の何れかに記載の収納ケースを用いることを特徴とする画像形成装置を提案する。
【発明の効果】
【００１８】
本発明によれば、電装基板を複数配置する筐体内部の奥側にレイアウトされた基板をメンテナンスする際、手前側に位置する電装基板を取り外す必要がなく作業性が向上する。さらに、手前側電装基板の回動構造のためヒンジなどを用いたものに比べて低コストである。さらに、高電圧ハーネスを這い回しが容易な画像形成装置を提供することができる。
【発明を実施するための最良の形態】
【００１９】
以下、本発明の実施の形態を添付図面にしたがって説明する。
図１は、画像形成装置の斜視図である。ここに示した画像形成装置は、複写機であるが、ＬＡＮケーブルや電話回線で接続することにより、プリンタ、スキャナ、ファクシミリとしても用いることができる。
【００２０】
図中符号１は、正面を矢印Ａで示す画像形成装置本体であり、中央部に画像形成部２が給紙部３上に載置して配置されている。また、画像形成部２の上には、排紙部４を挟んで原稿読取り部５が配置され、いわゆる胴内排紙部が設けられている。原稿読取部５の正面側には、画像形成装置の複数の機能を操作するための入力手段（スタートキー、テンキー、機能設定キー、リセットキー、クリア／ストップキーなどの各種キー）と、各種入力情報や装置の状態を表示する表示手段（液晶表示パネル、入力手段を兼ねた液晶タッチパネルなど）とを有する操作部６が設けられている。
【００２１】
図２は、上記した画像形成装置の内部機構の全体概略構成を示す全体断面図である。
図２において、画像形成装置本体１の画像形成部２内には、イエロ（Ｙ）、シアン（Ｃ）、マゼンタ（Ｍ）、ブラック（Ｂ）の各色の画像を形成するための４つの作像ステーションが、無端ベルト状の中間転写ベルト１７ａを有する中間転写ユニット１７に沿ってタンデム型に並べて配置されており、４つの作像ステーションの下には光書込装置１３が設置されている。
【００２２】
各作像ステーションの構成は同じであり、像担持体としての感光体ドラム１１Ｙ，１１Ｃ，１１Ｍ，１１Ｂをそれぞれ有し、そのまわりに、それぞれ専用の帯電装置１２Ｙ，１２Ｃ，１２Ｍ，１２Ｂ、現像装置１４Ｙ，１４Ｃ，１４Ｍ，１４Ｂ、一次転写ローラ１５Ｙ，１５Ｃ，１５Ｍ，１５Ｂ、クリーニング装置１６Ｙ，１６Ｃ，１６Ｍ，１６Ｂが配置されている。
【００２３】
光書込装置１３は、４つの作像ステーションに対して配置され、中央に１つの偏向器を有し、４つの光源からの光束を一つの偏向器で４系統に振り分けて偏向走査し、４つの感光体ドラム１１Ｙ，１１Ｃ，１１Ｍ，１１Ｂにそれぞれ潜像を書込むものであり、各色毎に用意されたレーザダイオード（ＬＤ）を使用する４つの光源と、光源から出射されたレーザ光束をコリメートする光学系と、ポリゴンミラー（回転多面鏡）とポリゴンモータから構成される１つの偏向器（ポリゴンスキャナ）と、各光源の光路に配置されたｆθレンズなどの走査・結像用のレンズや補正用レンズ、ミラーなどからなる光学系とで構成されている。そして、各色の画像情報に応じてレーザダイオードから射出されたレーザ光は、ポリゴンスキャナにより偏向走査され、各色の感光体ドラム１１Ｙ，１１Ｃ，１１Ｍ，１１Ｂ
に照射される。
【００２４】
また、画像形成部２内には、胴内排紙部４の下に、各作像ステーションの現像装置１４Ｙ，１４Ｃ，１４Ｍ，１４Ｂにトナーを補給するためのトナーボトル３２Ｙ，３２Ｃ，３２Ｍ，３２Ｂが設けられている。各トナーボトル３２Ｙ，３２Ｃ，３２Ｍ，３２Ｂには、図中左からイエロ（Ｙ）、シアン（Ｃ）、マゼンタ（Ｍ）、ブラック（Ｂ）のトナーが充填されており、ここから図示しない搬送経路によって、所定の補給量だけ各色の現像装置１４Ｙ，１４Ｃ，１４Ｍ，１４Ｂに各色のトナーが補給される。
【００２５】
中間転写ユニット１７の中間転写ベルト１７ａは、駆動ローラや従動ローラなどにより支持されており、図中の矢印の向きに回動される。この中間転写ベルト１７ａの右側には、二次転写ローラ２２が設けられている。また、中間転写ベルト１７ａの左側には、中間転写ベルトクリーニング装置１８が設けられている。
【００２６】
一方、画像形成装置本体１の下部に設ける給紙部３には、記録材としての記録用紙Ｓが収納された２段の給紙カセット３ａ，３ｂが設置されており、いずれか一方の給紙カセットから給紙装置１９ａ，１９ｂにより記録用紙Ｓが給紙され、搬送ローラ２０ａ，２０ｂを介してレジストローラ２１に向けて給紙されるようになっている。レジストローラ２１に給紙された記録用紙Ｓは、所定のタイミングで二次転写ローラ２２に向けて送り出される。
【００２７】
二次転写ローラ２２の上方には、定着ユニット９が設置されている。この定着ユニット９内には、例えば定着ローラ９ａと加熱ローラ９ｂに支持された定着ベルト９ｃと、該定着ベルト９ｃに圧接する加圧ローラ９ｄが設けられている。
【００２８】
定着ユニット９の上方には、記録用紙Ｓを搬送し、胴内排紙部に設ける排紙部４に向けて排紙する搬送ローラ２３や排紙ローラ２４が設けられており、さらにその上には、両面プリント時に搬送路を切換える切換え爪２５や、スイッチバック式に記録用紙Ｓの搬送向きを反転するための反転搬送ローラ２６や、反転搬送路２７が設けられている。そして、反転搬送路２７に一時的にスタックされた記録用紙Ｓは、反転搬送ローラ２６で搬送向きを反転されて、両面用搬送路を通して搬送ローラ２８，２９により搬送され、レジストローラ２１に再給紙される。
【００２９】
画像形成装置本体１の上部に配置される原稿読取部５は、原稿が載置される原稿台としてのコンタクトガラス５ａと、原稿を照明する照明光源５ｂと、原稿からの反射光を反射する第１ミラー５ｃ、第２ミラー５ｄ、第３ミラー５ｅと、原稿からの反射光を結像する結像レンズ５ｆと、その結像位置に配置されて原稿画像を読み取る読取手段としてのＣＣＤなどのイメージセンサ５ｇとを備えている。
【００３０】
この原稿読取部５の上には、コンタクトガラス５ａに載置された原稿を押さえる圧板３３、または圧板３３に代えて、コンタクトガラス５ａに原稿を自動給紙する自動原稿給紙装置（ＡＤＦ）が設けられる。
【００３１】
次に、この画像形成装置を用いてコピーを取る場合について説明する。
コピーを取るときは、まず圧板３３を開いて原稿読取部５のコンタクトガラス５ａ上に原稿をセットし、または圧板３３に代えてＡＤＦを設けるときは、ＡＤＦの原稿台上に原稿をセットする。
【００３２】
次いで、操作部６のスタートスイッチを押すと、コンタクトガラス５ａ上に原稿をセットしたときは、直ちに原稿読取部５を駆動し、またＡＤＦの原稿台上に原稿をセットしたときは、原稿を搬送してコンタクトガラス５ａ上へと移動した後に原稿読取部５を駆動する。そして、光源５ｂと第１ミラー５ｃを搭載する第１走行体、および第２ミラー５ｄと第３ミラー５ｅを搭載する第２走行体を各々走行し、光源５ｂから発した光を原稿面に当て、原稿面からの反射光を第１走行体の第１ミラー５ｃで反射して第２走行体に向け、第２走行体の第２、第３のミラー５ｄ，５ｅで反射して結像レンズ５ｆを通して読取手段であるＣＣＤなどのイメージセンサ５ｇに入れ、イメージセンサ５ｇで原稿内容を読み取る。
その後、操作部６でのモード設定、または操作部６で自動モード選択が設定されている場合には、原稿の読み取り結果にしたがい、フルカラーモードまたは白黒モードで画像形成動作を開始する。
【００３３】
画像形成部２では、まず、帯電装置１２Ｙ，１２Ｃ，１２Ｍ，１２Ｂによって各感光体ドラム１１Ｙ，１１Ｃ，１１Ｍ，１１Ｂが一様に帯電された後、各感光体ドラム１１Ｙ，１１Ｃ，１１Ｍ，１１Ｂは、それぞれ４つのレーザ光源と共通の偏向器と４系統の走査光学系を有する光書込装置１３によりレーザ光にて露光走査され、感光体ドラム１１Ｙ，１１Ｃ，１１Ｍ，１１Ｂ上に静電潜像がつくられる。
【００３４】
各静電潜像は、４色の現像装置１４Ｙ，１４Ｃ，１４Ｍ，１４Ｂによりそれぞれ異なる色のトナーが付着されることにより現像され、個々の感光体ドラム１１Ｙ，１１Ｃ，１１Ｍ，１１Ｂの表面にそれぞれイエロ、シアン、マゼンタ、ブラックのトナー像が形成される。
【００３５】
次に、一次転写ローラ１５Ｙ，１５Ｃ，１５Ｍ，１５Ｂに一次転写電圧が印加され、感光体ドラム１１Ｙ，１１Ｃ，１１Ｍ，１１Ｂ上のトナーが、中間転写ベルト１７ａ上に順次転写されていく。このとき、各色の作像動作は、そのトナー像が中間転写ベルト１７ａの同じ位置に重ねて転写されるように、上流側から下流側に向けてタイミングをずらして実行される。
【００３６】
一方、上記の一次転写動作にタイミングを合わせて、給紙部３に備えるいずれかの給紙カセット３ａ，３ｂから、記録材としての記録用紙Ｓが給紙装置１９ａ，１９ｂで給紙され、または手差し用テーブル８に手差し記録用紙Ｓがセットされた場合には、その手差し記録用紙Ｓが手差し用テーブル８から給紙ローラ３０により給紙され、搬送ローラ３１で画像形成装置内に送り込まれる。そして、記録用紙Ｓの先端がレジストローラ２１まで到達したところで、図示しないセンサによって検知されて、この検出信号に基づきタイミングを取られ、レジストローラ２１によって記録用紙Ｓが、二次転写ローラ２２と中間転写ベルト１７ａの間の二次転写ニップ部に向けて送り出される。
【００３７】
二次転写ニップ部に向けて送り出された記録用紙Ｓには、中間転写ベルト１７ａ上に形成された画像が、二次転写ニップ部まで搬送されて、一括して二次転写される。画像が転写された記録用紙Ｓは、定着ユニット９に搬送されて熱と圧力により画像が定着され、搬送ローラ２３で排紙部４に向けて搬送され、排紙ローラ２４で胴内排紙部に排紙される。これにより、記録用紙Ｓ上にカラー画像が形成される。
【００３８】
また、操作部６で両面モードが選択され、両面コピーを行うときには、切換え爪２５で搬送路を切換え、定着済みの記録用紙Ｓを反転搬送路２７に一時的にスタックした後、反転搬送ローラ２６でスイッチバック式に進行方向を反転し、画像形成動作にタイミングを合わせて、両面用搬送路を搬送ローラ２８，２９により搬送し、レジストローラ２１に再給紙する。
【００３９】
そして、レジストローラ２１で再び二次転写ニップ部に給紙し、次に中間転写ベルト１７ａ上に形成された画像が記録用紙Ｓの裏面側にも転写される。裏面側にも画像が転写された記録用紙Ｓは、定着ユニット９に搬送されて熱と圧力により画像が定着され、搬送ローラ２３で排紙部４に向けて搬送され、排紙ローラ２４で排紙される。これによ、記録用紙Ｓの両面にカラー画像が形成される。
【００４０】
なお、感光体ドラム１１Ｙ，１１Ｃ，１１Ｍ，１１Ｂ上の残留トナーは、それぞれのクリーニング装置１６Ｙ，１６Ｃ，１６Ｍ，１６Ｂでクリーニングされ、その後、直流に交流成分のバイアスが重畳印加された帯電装置１２Ｙ，１２Ｃ，１２Ｍ，１２Ｂによって除電と同時に帯電され、次の作像に備える。また、中間転写ベルト１７ａ上の残留トナーは、中間転写ベルトクリーニング装置１８によってクリーニングされ、次の作像工程に備える。
【００４１】
図３は、画像形成装置の裏面側であって、裏面の外装板を外した状態を示す図である。
図３において、画像形成装置の裏面側の外装板を外すと、収納ケース５０が現れる。この収納ケース５０は、その左側に設けられた回動支点５１を中心として扉のように開くことができ、この収納ケース５０を回動すると、画像形成装置本体内の不図示の駆動装置（モータ、クラッチ、センサなど）が現れるように構成されている。すなわち、収納ケース５０の裏側に駆動装置がレイアウトされており、これらのメンテナンスを行う際収納ケース５０が邪魔になるので、回動支点５１を中心に回動して退避するように構成している。なお、収納ケース５０には仕切部５２によって左右に分けた２つの室、すなわち第１室Ａ１と第２室Ａ２が設けられている。
【００４２】
図４は、収納ケース５０の内部を示す斜視図である。
収納ケース５０の第１室Ａ１内には、３枚の電装基板５３，５４，５５が奥行き方向に重畳されるように収納されている。一番手前の電装基板５３は駆動装置へ信号、電流を送る基板で、図示していないが多数のハーネスが接続されている。また、真中の基板５４は中継基板であって３つの中で最も小さい基板であり、奥の基板５５は画像処理の制御基板である。なお、収納ケース５０の第２室Ａ２内にはコントローラボード(図示せず)などが設けられている。
【００４３】
このように、３枚の基板５３〜５５重ねて配置すると、小さなスペースで複数の基板を配置できるので、省スペース化を促進できるなどの効果が期待できでるが、奥側の基板５４，５５におけるコネクタの接続などの作業をする場合、手前の基板を外さねばならないという問題が発生する。
【００４４】
そこで、本発明では奥行き方向に重畳して配置した電装基板中、１番手前の電装基板５３を板状部材６０に取り付け、この板状部材６０の側縁には適宜間隔を開けて上下２個の係止爪６１が設けられている。係止爪６１は、２個以上設けてもよいし、またある程度の長さがあれば１個であってもよい。また、収納ケース５０の係止爪６１に対応する側板には係止穴５６が形成され、係止爪６１が係止穴５６に係止されることで１番手前の電装基板５３がドアのように回動できるようになっている。なお、板状部材６０は板金から作ると、電装基板５３の接地が容易で電波ノイズの放射を低減することができる。
【００４５】
図５に係止爪６１の拡大図を示す。図５から明らかなように、係止爪６１は板状部材６０の側縁から左方へ水平方向に延びる水平部６１ａと、該水平部６１ａの先端で下方に曲げられた曲げ部６１ｂを有するフック状に形成される。他方、係止穴５６は係止爪６１の曲げ部６１ｂの上下幅よりも長い挿入部５６ａと、その曲げ部６１ｂの上下幅よりも短いが水平部６１ａのそれより長い保持部５６ｂとを有する２段穴に形成されている。
【００４６】
電装基板５３を取り付けた板状部材６０を収納ケース５０に係止させるとき、係止爪６１を挿入部５６ａから係止穴５６に挿入して曲げ部６１ｂを収納ケース５０外側へ突出す。その後、板状部材６０を奥側に押し込むことで水平部６１ａが保持部５６ｂ上に載る。これにて、板状部材６０が所定位置に安定した状態で設置され、板状部材６０の右側にはネジ止めされる舌部６２が設けられており、該舌部を収納ケース５０の仕切部５１にネジ止めすることにより電装基板５３を固定される。
【００４７】
そして、電装基板５３より奥側の電装基板５４，５５に対して作業する場合には舌部６２のネジを外せば、図６及び図７に示すように、電装基板５３を取り付けた板状部材６０を収納ケース５０に対して係止爪６１を支点として略９０°までドアのように開くことができる。すなわち、開放角度θとすると、ほぼθ＜９０°となる。したがって、電装基板５３の取り外すことなく、奥側の電装基板５４，５５に対して作業することができ、作業性が向上する。なお、この電装基板５３を取り付けた板状部材６０の回動は電装基板５３に接続するハーネス(図示せず)を係止爪６１側である図の左側から電装基板５３に導くことで、ハーネスを外すことなくそのままの状態で回動することができる。
【００４８】
また、図７の鎖線で示すように、電装基板５５にはオプション基板５５ｂが取り付けられることがあるが、その際も手前の電装基板５３は回動するだけで外すことなく取り付けられる。
【００４９】
さらに、収納ケース５０内の電装基板５３〜５５は奥行き方向に重畳して配置したとき、奥側に配置した電装基板５４、５５のコネクタを接続する接続部５４ａ，５５ａが外から見えるようにずらして配置している。本例の場合、図４に示すように、奥側の電装基板５４，５５を上に少しずらして配置している。このように、ずらして配置した奥側の電装基板５４，５５はその接続部５４ａ，５５ａが外から見えるので、最も手前にある電装基板５３を回動しなくとも電装基板５４の接続部５４ａにコネクタを接続でき、電装基板５３を回動し、電装基板５４を外さなくとも電装基板５５の接続部５５ａにコネクタを接続することができる。したがって、電装基板５５にさらにオプション基板を取付けたり、追加の配線を接続したりする場合に前側の電装基板５３、５４をずらしてレイアウトすることで容易に作業を行なうことが可能となる。
【００５０】
ところで、画像形成装置に取り付けられる収納ケース５０は回動して本体内の駆動装置（モータ、クラッチ、センサなど）が現れるように構成されているが、図８の鎖線で示すように、その回動支点５１を収納ケース５０の奥側にすると、収納ケース５０は９０°までしか回動できない。したがって、収納ケース５０を回動しても支点付近は機械内部に残る形になりメンテナンス時に障害となってしまう。そこで、図８の実線で示すように、その回動支点５１を外装板４０の近くに設定すると、その回動角度を９０°以上、例えば１３５°程度まで開くことができ、駆動装置などのメンテナンスがし易くなる。
【００５１】
また、本実施形態の収納ケース５０は図３及び図４から明らかなように、奥側のケース板が右方に張り出した張り出し部５７が設けられている。この張り出し部５７は、図９に示すように、画像形成装置の外部に現出している部分である。そこで、この外部に現出している張り出し部５７にルーバ５７ａを設けることで、装置本体内部と外部との間に気流を作ることができる。ルーバの代わりに穴をあけてファンを取付けることで更に強力に気流を作ることも可能である。
【００５２】
図１０は、収納ケース５０の外側の一部を示す斜視図、図１１は図１０の縦断面である。図１０及び図１１に示すように、収納ケース５０の蓋５８の上面には通気孔５９ａが形成された傾斜面５０ａが設けられており、図１１の鎖線で示す外装板４０にも収納ケースの傾斜面５０ａに沿って通気孔(図示せず)が形成された傾斜面４０ａが形成されている。他方、収納ケース５０の蓋５８には正面のやや下方に外気を流入するための通気孔５９ｂが形成されている。
【００５３】
収納ケース５０内の空気は、内部に配置されたＨＤＤなどの電子部品による発熱などで温められ上昇する。このとき、収納ケース５０の蓋５０ａ及びそれに沿う外装板４０の上面にはそれぞれ通気孔が形成された傾斜面４０ａ、５０ｂが設けられているので、上昇した空気が機外へ排出され易くなっている。それに伴って下部の通気孔５９ｂから収納ケース５０内に新たな空気が入るので、通気孔５９ｂから収納ケース５０内に入り傾斜面４０ａ、５０ａの通気孔から抜けるという自然対流が形成される。この自然対流は排出される空気孔が傾斜面４０ａ、５０ａに形成されていることで空気の流れがスムーズで、傾斜面４０ａ、５０ａがない場合と比べて収納ケース５０内の温度上昇を低減することができる。
【００５４】
さらに、本実施形態の収納ケース５０の蓋５８には図１０に示すように、下部に取り付け舌５８ａが形成され、該取り付け舌５８ａがネジによって装置本体のステー４５に固定される。このとき、ネジによる固定で収納ケース５０自体の装置本体１への固定と蓋５８の固定を共用している。そして、このとき収納ケース５０を直接接地する形になるため収納ケース５０内で発生する電波ノイズの放射をより低減できる可能性が高くなる。
【００５５】
ところで、画像形成装置には高電圧を発生することで機能を満足するユニットとして現像装置１４Ｙ，１４Ｃ，１４Ｍ，１４Ｂや一次転写ローラ１５Ｙ，１５Ｃ，１５Ｍ，１５Ｂなどが存在する。図１２は画像形成装置を背面方向から見た図で、図１３は図１２のＡ−Ａ断面を表した図である。現像装置１４Ｙ，１４Ｃ，１４Ｍ，１４Ｂや一次転写ローラ１５Ｙ，１５Ｃ，１５Ｍ，１５Ｂなどが収められた機械内部との仕切り板となる後側板７０に、これらユニットに駆動力を与える駆動用ユニット７１が取付けられており、駆動ユニットの取り付け部付近に現像装置１４Ｙ，１４Ｃ，１４Ｍ，１４Ｂの高圧用接続口７２Ｙ，７２Ｃ，７２Ｍ，７２Ｂが設けられている。その後側板７０を隔てたすぐ裏側に現像装置１４Ｙ，１４Ｃ，１４Ｍ，１４Ｂが配置されている。すなわち、後側板７０の一面に高圧用接続口７２Ｙ，７２Ｃ，７２Ｍ，７２Ｂ、その反対面に現像装置１４Ｙ，１４Ｃ，１４Ｍ，１４Ｂが配置されている。駆動ユニット７１の上部には、一次転写ローラ１５Ｙ，１５Ｃ，１５Ｍ，１５Ｂの高圧用接続口７３Ｙ，７３Ｃ，７３Ｍ，７３Ｂが設けられており、この裏側にはやはり一次転写ローラ１５Ｙ，１５Ｃ，１５Ｍ，１５Ｂが置かれている。現像装置１４Ｙ，１４Ｃ，１４Ｍ，１４Ｂよりも上方に位置する一次転写ローラ１５Ｙ，１５Ｃ，１５Ｍ，１５Ｂの高圧用接続口７３Ｙ，７３Ｃ，７３Ｍ，７３Ｂは、駆動ユニットより上方で左右の後フレーム７４，７５をつないでいる上ステー７６に取り付けられており、その上ステー７６の上部に一次転写ローラ１５Ｙ，１５Ｃ，１５Ｍ，１５Ｂ用高圧電源、すなわち高圧電源基板７７が配置され、その高電圧ハーネス７８は上ステー７６を経由して高圧用接続口７３Ｙ，７３Ｃ，７３Ｍ，７３Ｂに接続される。
【００５６】
また、後側板７０の最下部には現像装置１４Ｙ，１４Ｃ，１４Ｍ，１４Ｂの高圧用接続口７２Ｙ，７２Ｃ，７２Ｍ，７２Ｂに対し４箇所それぞれの接続口とを最短距離でつなげるように現像用高圧電源基板７９が配置されている。
【００５７】
このように、高電圧を供給する現像装置１４Ｙ，１４Ｃ，１４Ｍ，１４Ｂや一次転写ローラ１５Ｙ，１５Ｃ，１５Ｍ，１５Ｂの位置に対応して、高圧電源を分けて配置しているので、高電圧ハーネスのルートに自由度が増しハーネス長自体も短く設定することが可能となる。
【００５８】
これに対し、一次転写ローラ１５Ｙ，１５Ｃ，１５Ｍ，１５Ｂ用高圧電源基板７７と現像装置１４Ｙ，１４Ｃ，１４Ｍ，１４Ｂ用高圧電源基板７９を分けずに最下部に１つのみ高圧電源が置かれている場合、一次転写ローラ１５Ｙ，１５Ｃ，１５Ｍ，１５Ｂの高圧用接続口７３Ｙ，７３Ｃ，７３Ｍ，７３Ｂまでのハーネスは駆動ユニット７１上を横切る形になって可動部近くをハーネスが通ることになってしまい、切断などの危険が生じる。
【００５９】
それを防ぐには駆動ユニット７１を通らないようハーネスルートを遠回りにするか、可動部に接触しないよう防護用部品を追加するなどの対応をとることになり、部品追加や線長の伸長によるコストアップ、 組付け性の悪化、高圧ハーネスからモータなどの信号線にノイズがのり誤動作を生じるなどを招くことになる。
【００６０】
さらに、本実施形態では高圧電源基板７７，７９を分割することで１つの基板面積が小さくなり、基板裏側にモータやクラッチが隠れることが無くなり駆動部のメンテナンス時に基板を外す必要が無く作業性に優れるという利点もある。
【００６１】
また、２つの高圧電源基板７７，７９は図１３に示すように、後側板７０の近くに配置され、後側板７０から遠い位置に上記収納ケース５０に収められた制御用もしくは電源用電装基板が配置されている。
【００６２】
高電圧を供給するユニットとしては、現像装置１４Ｙ，１４Ｃ，１４Ｍ，１４Ｂや一次転写ローラ１５Ｙ，１５Ｃ，１５Ｍ，１５Ｂの他に二次転写ローラ２２があり、二次転写ローラ２２の高電圧供給について説明する。
【００６３】
二次転写ローラ２２は該ローラ２２と中間転写ベルト１７ａの間を記録用紙Ｓが搬送されるため、図１４（ａ）に示すように、支持部８１を支点にして回動される右開閉部８０に取り付けられている。そして、二次転写ローラ２２はジャムなどが発生したときには右開閉部８０の回動によって中間転写ベルト１７ａから離れ処理作業を容易にしている。このとき、二次転写ローラ２２の高圧電源基板を機械本体側に置かれていると、高圧電源基板からの高圧用ハーネスがその回動支点を通り二次転写ローラ２２まで到達する形になり、高圧用ハーネスが右開閉部の開閉のたびに動くことで切断の可能性が高くなってしまう。高圧用ハーネスには高電圧がかかっているため、切断あるいはショートに至った場合、ユーザにとって感電など危険な状況となることが考えられる。
【００６４】
そこで、図１４（ｂ）に示すように二次転写ローラ２２が設けられている右開閉部８０に高圧電源基板８２を配置することで可動部を高圧ハーネスが通ることが無くなるため、上記したような危険を回避することができる。
【図面の簡単な説明】
【００６５】
【図１】本発明に係る画像形成装置を示す概略斜視図である。
【図２】本発明に係る画像形成装置の内部構成を示す概略説明図である。
【図３】本発明に係る収納ケースの外観斜視図である。
【図４】収納ケースの内部を示す斜視図である。
【図５】係止爪を示す拡大斜視図である。
【図６】複数の電装基板のレイアウトを示す斜視図である。
【図７】複数の電装基板の平面説明図である。
【図８】収納ケースの回転支点位置を示す説明図である。
【図９】画像形成装置の裏面側の一部を示す斜視図である。
【図１０】収納ケースの一部の外観斜視図である。
【図１１】収納ケースの内部を示す断面説明図である。
【図１２】画像形成装置の高電圧基板の配置例を示す後側板の説明図である。
【図１３】図１２のＡ−Ａ線に従う断面説明図である。
【図１４】（ａ），（ｂ）は二次転写ローラの高電圧基板の配置例を示す説明図である。
【符号の説明】
【００６６】
１    装置本体
１４Ｙ，１４Ｃ，１４Ｍ，１４Ｂ    現像装置
１５Ｙ，１５Ｃ，１５Ｍ，１５Ｂ    一次転写ローラ
２２    二次転写ローラ
４０    外装板
５０    収納ケース
５１    回動支点
５３、５４，５５    電装基板
５６    係止穴
６０    板状部材
６１    係止爪
【図１】
0004701125.tif 000002
【図２】
0004701125.tif 000003
【図３】
0004701125.tif 000004
【図４】
0004701125.tif 000005
【図５】
0004701125.tif 000006
【図６】
0004701125.tif 000007
【図７】
0004701125.tif 000008
【図８】
0004701125.tif 000009
【図９】
0004701125.tif 000010
【図１０】
0004701125.tif 000011
【図１１】
0004701125.tif 000012
【図１２】
0004701125.tif 000013
【図１３】
0004701125.tif 000014
【図１４】
0004701125.tif 000015